(57)【要約】【課題】ハンドオーバ時に無線基地局間でパケット転送を行う場合に、ハンドオーバ先の無線基地局と無線端末との間で送受信されるパケットのオーバヘッドを低減する。【解決手段】無線端末２は、ハンドオーバ元である第１無線基地局１Ａに送信すべきパケットに対し、ＲＬＰヘッダ（Ａ）、ＳＰヘッダ（Ａ）、ＲＰヘッダ（Ａ）を挿入する第１通信モジュール２０Ａと、ハンドオーバ先である第２無線基地局１Ｂに送信すべきパケットに対し、ＲＬＰヘッダ（Ｂ）、ＳＰヘッダ（Ｂ）、ＲＰヘッダ（Ｂ）を挿入する第２通信モジュール２０Ｂ）とを備える。第２通信モジュール２０Ｂは、第１通信モジュール２０Ａによって転送されたパケットを第２無線基地局１Ｂに送信するとともに、第１通信モジュール２０Ａによって転送されたパケットに対するＲＬＰヘッダ（Ｂ）、ＳＰヘッダ（Ｂ）、ＲＰヘッダ（Ｂ）の挿入を省略する。【選択図】図５
2012151878.tif 000002
【特許請求の範囲】
【請求項１】
第１無線基地局と、前記第１無線基地局と通信可能な第２無線基地局と、前記第１無線基地局から前記第２無線基地局へ接続先を切り替える無線端末とを含む無線通信システムであって、
前記無線端末は、
前記第１無線基地局に送信すべきパケットに対し、前記無線端末と前記第１無線基地局との上り方向通信の制御に用いられる第１上り制御データを挿入する第１送信処理部と、
前記第２無線基地局に送信すべきパケットに対し、前記無線端末と前記第２無線基地局との上り方向通信の制御に用いられる第２上り制御データを挿入する第２送信処理部と
を備え、
前記第１送信処理部は、前記接続先の切り替え時において、前記第１上り制御データが挿入された前記パケットを前記第２送信処理部に転送し、
前記第２送信処理部は、前記第１送信処理部によって転送された前記パケットを前記第２無線基地局に送信するとともに、前記第１送信処理部によって転送された前記パケットに対する前記第２上り制御データの挿入を省略し、
前記第２無線基地局は、前記無線端末から受信した前記パケットを前記第１無線基地局に転送する無線通信システム。
【請求項２】
前記第１無線基地局は、前記第１上り制御データに基づくパケット受信処理を実行する第１上り受信処理部を備え、
前記第２無線基地局は、前記第１上り制御データ又は前記第２上り制御データに基づくパケット受信処理を実行する第２上り受信処理部を備え、
前記第２送信処理部は、前記第１送信処理部によって転送された前記パケットを前記第２無線基地局に送信する場合、前記第２無線基地局に送信する前記パケットに対し、前記第１送信処理部によって転送された前記パケットであることを示す上り転送情報を挿入する上り転送情報挿入部を備え、
前記第２上り受信処理部は、前記無線端末から受信した前記パケットに前記上り転送情報が挿入されている場合、前記無線端末から受信した前記パケットに挿入されている前記第１上り制御データに基づくパケット受信処理を実行し、
前記第１上り受信処理部は、前記第２上り受信処理部が前記第１上り制御データに基づくパケット受信処理を実行する場合、前記第１上り制御データに基づくパケット受信処理を省略する請求項１に記載の無線通信システム。
【請求項３】
前記第１送信処理部は、前記第１無線基地局が受信に失敗したパケットを前記第１無線基地局に再送する第１上り再送処理を実行する第１上り再送処理部を備え、
前記第２送信処理部は、前記第２無線基地局が受信に失敗したパケットを前記第２無線基地局に再送する第２上り再送処理を実行する第２上り再送処理部を備え、
前記第２上り再送処理部は、前記接続先の切り替え時において、前記第１上り再送処理に用いられる第１上り再送制御情報を前記第１上り再送処理部から取得し、取得した前記第１上り再送制御情報を用いて前記第２上り再送処理を実行し、
前記第１上り再送処理部は、前記第２上り再送処理部が前記第１上り再送制御情報を用いて前記第２上り再送処理を実行する場合、前記第１上り再送処理を省略する請求項１に記載の無線通信システム。
【請求項４】
前記第１無線基地局は、受信に失敗したパケットの再送を前記第１上り再送処理部に要求する第１上り再送要求を実行する第１上り再送要求部を備え、
前記第２無線基地局は、受信に失敗したパケットの再送を前記第２上り再送処理部に要求する第２上り再送要求を実行する第２上り再送要求部を備え、
前記第２上り再送要求部は、前記接続先の切り替え時において、前記第１上り再送要求に用いられる第２上り再送制御情報を前記第１上り再送要求部から取得し、前記第２上り再送制御情報を用いて前記第２上り再送要求を実行し、
前記第１上り再送要求部は、前記第２上り再送要求部が前記第２上り再送制御情報を用いて前記第２上り再送要求を実行する場合、前記第１上り再送要求を省略する請求項３に記載の無線通信システム。
【請求項５】
前記第１送信処理部は、前記第１無線基地局に送信するユーザデータを分解してパケットを生成する第１上りフラグメント処理を実行する第１上りフラグメント処理部を備え、
前記第２送信処理部は、前記第２無線基地局に送信するユーザデータを分解してパケットを生成する第２上りフラグメント処理を実行する第２上りフラグメント処理部を備え、
前記第２上りフラグメント処理部は、前記接続先の切り替え時において、前記第２上りフラグメント処理を省略する請求項１に記載の無線通信システム。
【請求項６】
第１無線基地局から、前記第１無線基地局と通信可能な第２無線基地局へ接続先を切り替える無線端末であって、
前記第１無線基地局に送信すべきパケットに対し、前記無線端末と前記第１無線基地局との上り方向通信の制御に用いられる第１上り制御データを挿入する第１送信処理部と、
前記第２無線基地局に送信すべきパケットに対し、前記無線端末と前記第２無線基地局との上り方向通信の制御に用いられる第２上り制御データを挿入する第２送信処理部と
を備え、
前記第１送信処理部は、前記接続先の切り替え時において、前記第１上り制御データが挿入された前記パケットを前記第２送信処理部に転送し、
前記第２送信処理部は、前記第１送信処理部によって転送された前記パケットを前記第２無線基地局に送信するとともに、前記第１送信処理部によって転送された前記パケットに対する前記第２上り制御データの挿入を省略する無線端末。
【請求項７】
第１無線基地局と、
前記第１無線基地局と通信可能な第２無線基地局と、
前記第１無線基地局に送信すべきパケットに対し、前記第１無線基地局との上り方向通信の制御に用いられる第１上り制御データを挿入する第１送信処理部と、前記第２無線基地局に送信すべきパケットに対し、前記第２無線基地局との上り方向通信の制御に用いられる第２上り制御データを挿入する第２送信処理部とを有する無線端末と
を用いた無線通信方法であって、
前記無線端末が、前記第１無線基地局から前記第２無線基地局へ接続先を切り替えるステップと、
前記第１送信処理部が、前記接続先の切り替え時において、前記第１上り制御データが挿入された前記パケットを前記第２送信処理部に転送するステップと、
前記第２送信処理部が、前記第１送信処理部によって転送された前記パケットに対する前記第２上り制御データの挿入を省略するステップと、
前記第２送信処理部が、前記第１送信処理部によって転送された前記パケットを前記第２無線基地局に送信するステップと、
前記第２無線基地局が、前記無線端末から受信した前記パケットを前記第１無線基地局に転送するステップと
を備える無線通信方法。
【発明の詳細な説明】
【技術分野】
【０００１】
本発明は、無線端末のハンドオーバ時に無線基地局間でパケット転送を行う無線通信システム、無線基地局、無線端末及び無線通信方法に関する。
【背景技術】
【０００２】
従来、無線端末は、移動中などにおいてより条件の良い無線基地局へ接続先を切り替える、いわゆるハンドオーバを行っている。このようなハンドオーバ時において、無線端末が送受信するパケットを、ハンドオーバ元の無線基地局（以下、第１無線基地局）とハンドオーバ先の無線基地局（以下、第２無線基地局）との間で転送する無線通信システムが提案されている。
【０００３】
このような方式を採用する無線通信システムとしては、例えば3GPP2（Third Generation Partnership Project 2）にて規格策定中のUMB（Ultra Mobile Broadband）が挙げられる（例えば、非特許文献１参照）。
【０００４】
下り方向通信において、無線端末は、第１無線基地局から第２無線基地局へ転送されたパケットを第２無線基地局から受信する。その際、第１無線基地局及び第２無線基地局のそれぞれは、無線端末との下り方向通信の制御（例えば、再送制御やフラグメント）に用いられる下り制御データをパケットのヘッダとして挿入する。
【０００５】
そして、無線端末は、第２無線基地局から受信したパケットに挿入されている各下り制御データに基づくパケット受信処理を実行する。このような方式は、パケット受信処理の画一化・統一化という点においてメリットがある。
【０００６】
また、上り方向通信において、無線端末は、第２無線基地局に送信するパケットに対し、第１無線基地局との上り方向通信の制御に用いられる上り制御データと、第２無線基地局との上り方向通信の制御に用いられる上り制御データとをヘッダとして挿入する。
【先行技術文献】
【非特許文献】
【０００７】
【非特許文献１】“Overview for Ultra Mobile Broadband (UMB) Air Interface Specification（3GPP2 C.S0084-000-0）”、［ｏｎｌｉｎｅ］、［平成２０年３月１７日検索］、＜ＵＲＬ：http://www.3gpp2.org/Public_html/specs/C.S0084-000-0_v2.0_070904.pdf＞
【発明の概要】
【発明が解決しようとする課題】
【０００８】
しかしながら、下り方向通信において第１無線基地局及び第２無線基地局のそれぞれがパケットに下り制御データを挿入するため、第２無線基地局から無線端末に送信されるパケットにおける制御データ（ヘッダ）の占める割合であるオーバヘッドが増大する。
【０００９】
また、上り方向通信においても、無線端末は、第１無線基地局及び第２無線基地局のそれぞれに対応した上り制御データをパケットに挿入するため、無線端末から第２無線基地局に送信されるパケットのオーバヘッドが増大する。
【００１０】
このように、無線端末のハンドオーバ時に無線基地局間でパケット転送を行う従来の無線通信システムでは、第２無線基地局（ハンドオーバ先の無線基地局）と無線端末との間で送受信されるパケットのオーバヘッドが増大する問題があった。
【００１１】
そこで、本発明は、上述した課題を解決するためになされたものであり、無線端末のハンドオーバ時に無線基地局間でパケット転送を行うシステム構成において、ハンドオーバ先の無線基地局と無線端末との間で送受信されるパケットのオーバヘッドを低減可能な無線通信システム、無線基地局、無線端末及び無線通信方法を提供することを目的とする。
【課題を解決するための手段】
【００１２】
上述した課題を解決するために、第１無線基地局（第１無線基地局１Ａ）と、前記第１無線基地局と通信可能な第２無線基地局（第２無線基地局１Ｂ）と、前記第１無線基地局から前記第２無線基地局へ接続先を切り替える無線端末（無線端末２）とを含む無線通信システム（無線通信システム１０）であって、前記第１無線基地局は、前記無線端末に送信すべきパケットに対し、前記無線端末と前記第１無線基地局との下り方向通信の制御に用いられる第１下り制御データ（ＲＬＰヘッダ（Ａ）、ＳＰヘッダ（Ａ）、ＲＰヘッダ（Ａ））を挿入する第１下り制御データ挿入部（ＲＬＰ部１３Ａ、ＳＰ部１４Ａ、ＲＰ部１５Ａ）と、前記接続先の切り替え時において、前記第１下り制御データが挿入された前記パケットを前記第２無線基地局に転送するパケット転送部（ＲＰ部１５Ａ）とを備え、前記第２無線基地局は、前記無線端末に送信すべきパケットに対し、前記無線端末と前記第２無線基地局との下り方向通信の制御に用いられる第２下り制御データ（ＲＬＰヘッダ（Ｂ）、ＳＰヘッダ（Ｂ）、ＲＰヘッダ（Ｂ））を挿入する第２下り制御データ挿入部（ＲＬＰ部１３Ｂ、ＳＰ部１４Ｂ、ＲＰ部１５Ｂ）と、前記第１無線基地局によって転送された前記パケットを前記無線端末に送信するパケット送信部（ＰＣＰ／ＭＡＣ／ＰＨＹ部１６Ｂ）とを備え、前記第２下り制御データ挿入部は、前記第１無線基地局によって転送された前記パケットに対する前記第２下り制御データの挿入を省略し、前記無線端末は、前記第２無線基地局から受信した前記パケットに挿入されている前記第１下り制御データに基づくパケット受信処理を実行することを要旨としてもよい。
【００１３】
これによれば、無線端末のハンドオーバ時に無線基地局間でパケット転送を行うシステム構成において、ハンドオーバ先の無線基地局（すなわち、第２無線基地局）と無線端末との間で送受信されるパケットのオーバヘッドを低減可能な無線通信システムを提供できる。
【００１４】
また、前記無線端末は、前記第１無線基地局に対応して設けられ、前記第１下り制御データに基づくパケット受信処理を実行する第１下り受信処理部（第１通信モジュール２０Ａ）と、前記第２無線基地局に対応して設けられ、前記第１下り制御データ又は前記第２下り制御データに基づくパケット受信処理を実行する第２下り受信処理部（第２通信モジュール２０Ｂ）とを備え、前記第２無線基地局は、前記第１無線基地局によって転送された前記パケットを前記無線端末に送信する場合、前記無線端末に送信する前記パケットに対し、前記第１無線基地局によって転送された前記パケットであることを示す下り転送情報（ＩＲＴＰヘッダ（Ｂ））を挿入する下り転送情報挿入部（ＩＲＴＰ部１２Ｂ）を備え、前記第２下り受信処理部は、前記第２無線基地局から受信した前記パケットに前記下り転送情報が挿入されている場合、前記第２無線基地局から受信した前記パケットに挿入されている前記第１下り制御データに基づくパケット受信処理を実行し、前記第１下り受信処理部は、前記第２下り受信処理部が前記第１下り制御データに基づくパケット受信処理を実行する場合、前記第１下り制御データに基づくパケット受信処理を省略することを要旨としてもよい。
【００１５】
また、前記第１無線基地局は、前記無線端末が受信に失敗したパケットを前記無線端末に再送する第１下り再送処理を実行する第１下り再送処理部（ＲＬＰ部１３Ａ）を備え、前記第２無線基地局は、前記無線端末が受信に失敗したパケットを前記無線端末に再送する第２下り再送処理を実行する第２下り再送処理部（ＲＬＰ部１３Ｂ）を備え、前記第２下り再送処理部は、前記接続先の切り替え時において、前記第１下り再送処理に用いられる第１下り再送制御情報（ＲＬＰ情報）を前記第１下り再送処理部から取得し、取得した前記第１下り再送制御情報を用いて前記第２下り再送処理を実行し、前記第１下り再送処理部は、前記第２下り再送処理部が前記第１下り再送制御情報を用いて前記第２下り再送処理を実行する場合、前記第１下り再送処理を省略することを要旨としてもよい。
【００１６】
また、前記無線端末は、受信に失敗したパケットの再送を前記第１下り再送処理部に要求する第１下り再送要求を実行する第１下り再送要求部（ＲＬＰ部１３Ａ）と、受信に失敗したパケットの再送を前記第２下り再送処理部に要求する第２下り再送要求を実行する第２下り再送要求部（ＲＬＰ部１３Ｂ）とを備え、前記第２下り再送要求部は、前記接続先の切り替え時において、前記第１下り再送要求に用いられる第２下り再送制御情報（ＲＬＰ情報）を前記第１下り再送要求部から取得し、取得した前記第２下り再送制御情報を用いて前記第２下り再送要求を実行し、前記第１下り再送要求部は、前記第２下り再送要求部が前記第２下り再送制御情報を用いて前記第２下り再送要求を実行する場合、前記第１下り再送要求を省略することを要旨としてもよい。
【００１７】
また、前記第１無線基地局は、前記無線端末に送信するユーザデータ（ＡＰＰデータ）を分解してパケットを生成する第１下りフラグメント処理を実行する第１下りフラグメント処理部（ＲＬＰ部２３Ａ）を備え、前記第２無線基地局は、前記無線端末に送信するユーザデータ（ＡＰＰデータ）を分解してパケットを生成する第２下りフラグメント処理を実行する第２下りフラグメント処理部（ＲＬＰ部２３Ｂ）を備え、前記第２下りフラグメント処理部は、前記接続先の切り替え時において、前記第２下りフラグメント処理を省略することを要旨としてもよい。
【００１８】
上述した課題を解決するために、本発明は以下のような側面を有している。まず、本発明の第１の側面は、第１無線基地局（第１無線基地局１Ａ）と、前記第１無線基地局と通信可能な第２無線基地局（第２無線基地局１Ｂ）と、前記第１無線基地局から前記第２無線基地局へ接続先を切り替える無線端末（無線端末２）とを含む無線通信システム（無線通信システム１０）であって、前記無線端末は、前記第１無線基地局に送信すべきパケットに対し、前記無線端末と前記第１無線基地局との上り方向通信の制御に用いられる第１上り制御データ（ＲＬＰヘッダ（Ａ）、ＳＰヘッダ（Ａ）、ＲＰヘッダ（Ａ））を挿入する第１送信処理部（第１通信モジュール２０Ａ）と、前記第２無線基地局に送信すべきパケットに対し、前記無線端末と前記第２無線基地局との上り方向通信の制御に用いられる第２上り制御データ（ＲＬＰヘッダ（Ｂ）、ＳＰヘッダ（Ｂ）、ＲＰヘッダ（Ｂ））を挿入する第２送信処理部（第２通信モジュール２０Ｂ）とを備え、前記第１送信処理部は、前記接続先の切り替え時において、前記第１上り制御データが挿入された前記パケットを前記第２送信処理部に転送し、前記第２送信処理部は、前記第１送信処理部によって転送された前記パケットを前記第２無線基地局に送信するとともに、前記第１送信処理部によって転送された前記パケットに対する前記第２上り制御データの挿入を省略し、前記第２無線基地局は、前記無線端末から受信した前記パケットを前記第１無線基地局に転送することを要旨とする。
【００１９】
このような側面によれば、無線端末のハンドオーバ時に無線基地局間でパケット転送を行うシステム構成において、ハンドオーバ先の無線基地局（すなわち、第２無線基地局）と無線端末との間で送受信されるパケットのオーバヘッドを低減可能な無線通信システムを提供できる。
【００２０】
本発明の第２の側面は、本発明の第６の側面に係り、前記第１無線基地局は、前記第１上り制御データに基づくパケット受信処理を実行する第１上り受信処理部（ＲＬＰ部１３Ａ、ＳＰ部１４Ａ、ＲＰ部１５Ａ）を備え、前記第２無線基地局は、前記第１上り制御データ又は前記第２上り制御データに基づくパケット受信処理を実行する第２上り受信処理部（ＲＬＰ部１３Ｂ、ＳＰ部１４Ｂ、ＲＰ部１５Ｂ）を備え、前記第２送信処理部は、前記第１送信処理部によって転送された前記パケットを前記第２無線基地局に送信する場合、前記第２無線基地局に送信する前記パケットに対し、前記第１送信処理部によって転送された前記パケットであることを示す上り転送情報（ＩＲＴＰヘッダ（Ｂ））を挿入する上り転送情報挿入部（ＩＲＴＰ部２２Ｂ）を備え、前記第２上り受信処理部は、前記無線端末から受信した前記パケットに前記上り転送情報が挿入されている場合、前記無線端末から受信した前記パケットに挿入されている前記第１上り制御データに基づくパケット受信処理を実行し、前記第１上り受信処理部は、前記第２上り受信処理部が前記第１上り制御データに基づくパケット受信処理を実行する場合、前記第１上り制御データに基づくパケット受信処理を省略することを要旨とする。
【００２１】
本発明の第３の側面は、本発明の第６の側面に係り、前記第１送信処理部は、前記第１無線基地局が受信に失敗したパケットを前記第１無線基地局に再送する第１上り再送処理を実行する第１上り再送処理部（ＲＬＰ部２３Ａ）を備え、前記第２送信処理部は、前記第２無線基地局が受信に失敗したパケットを前記第２無線基地局に再送する第２上り再送処理を実行する第２上り再送処理部（ＲＬＰ部２３Ｂ）を備え、前記第２上り再送処理部は、前記接続先の切り替え時において、前記第１上り再送処理に用いられる第１上り再送制御情報（ＲＬＰ情報）を前記第１上り再送処理部から取得し、取得した前記第１上り再送制御情報を用いて前記第２上り再送処理を実行し、前記第１上り再送処理部は、前記第２上り再送処理部が前記第１上り再送制御情報を用いて前記第２上り再送処理を実行する場合、前記第１上り再送処理を省略することを要旨とする。
【００２２】
本発明の第４の側面は、本発明の第８の側面に係り、前記第１無線基地局は、受信に失敗したパケットの再送を前記第１上り再送処理部に要求する第１上り再送要求を実行する第１上り再送要求部（ＲＬＰ部１３Ａ）を備え、前記第２無線基地局は、受信に失敗したパケットの再送を前記第２上り再送処理部に要求する第２上り再送要求を実行する第２上り再送要求部（ＲＬＰ部１３Ｂ）を備え、前記第２上り再送要求部は、前記接続先の切り替え時において、前記第１上り再送要求に用いられる第２上り再送制御情報（ＲＬＰ情報）を前記第１上り再送要求部から取得し、前記第２上り再送制御情報を用いて前記第２上り再送要求を実行し、前記第１上り再送要求部は、前記第２上り再送要求部が前記第２上り再送制御情報を用いて前記第２上り再送要求を実行する場合、前記第１上り再送要求を省略することを要旨とする。
【００２３】
本発明の第５の側面は、本発明の第６の側面に係り、前記第１送信処理部は、前記第１無線基地局に送信するユーザデータ（ＡＰＰデータ）を分解してパケットを生成する第１上りフラグメント処理を実行する第１上りフラグメント処理部（ＲＬＰ部２３Ａ）を備え、前記第２送信処理部は、前記第２無線基地局に送信するユーザデータ（ＡＰＰデータ）を分解してパケットを生成する第２上りフラグメント処理を実行する第２上りフラグメント処理部（ＲＬＰ部２３Ｂ）を備え、前記第２上りフラグメント処理部は、前記接続先の切り替え時において、前記第２上りフラグメント処理を省略することを要旨とする。
【００２４】
また、無線端末（無線端末２）の接続先の切り替え時において、前記接続先の切り替え元である他の無線基地局（第１無線基地局１Ａ）から、前記無線端末と前記他の無線基地局との下り方向通信の制御に用いられる第１下り制御データ（ＲＬＰヘッダ（Ａ）、ＳＰヘッダ（Ａ）、ＲＰヘッダ（Ａ））が挿入されたパケットを受信するとともに、前記接続先の切り替え先となる無線基地局（第２無線基地局１Ｂ）であって、前記無線端末に送信すべきパケットに対し、前記無線端末と前記無線基地局との下り方向通信の制御に用いられる第２下り制御データ（ＲＬＰヘッダ（Ｂ）、ＳＰヘッダ（Ｂ）、ＲＰヘッダ（Ｂ））を挿入する下り制御データ挿入部（ＲＬＰ部１３Ｂ、ＳＰ部１４Ｂ、ＲＰ部１５Ｂ）と、前記他の無線基地局によって転送された前記パケットを前記無線端末に送信するパケット送信部（ＰＣＰ／ＭＡＣ／ＰＨＹ部１６Ｂ）とを備え、前記下り制御データ挿入部は、前記他の無線基地局によって転送された前記パケットに対する前記第２下り制御データの挿入を省略することを要旨としてもよい。
【００２５】
本発明の第６の側面は、第１無線基地局（第１無線基地局１Ａ）から、前記第１無線基地局と通信可能な第２無線基地局（第２無線基地局１Ｂ）へ接続先を切り替える無線端末（無線端末２）であって、前記第１無線基地局に送信すべきパケットに対し、前記無線端末と前記第１無線基地局との上り方向通信の制御に用いられる第１上り制御データ（ＲＬＰヘッダ（Ａ）、ＳＰヘッダ（Ａ）、ＲＰヘッダ（Ａ））を挿入する第１送信処理部（第１通信モジュール２０Ａ）と、前記第２無線基地局に送信すべきパケットに対し、前記無線端末と前記第２無線基地局との上り方向通信の制御に用いられる第２上り制御データ（ＲＬＰヘッダ（Ｂ）、ＳＰヘッダ（Ｂ）、ＲＰヘッダ（Ｂ））を挿入する第２送信処理部（第２通信モジュール２０Ｂ）とを備え、前記第１送信処理部は、前記接続先の切り替え時において、前記第１上り制御データが挿入された前記パケットを前記第２送信処理部に転送し、前記第２送信処理部は、前記第１送信処理部によって転送された前記パケットを前記第２無線基地局に送信するとともに、前記第１送信処理部によって転送された前記パケットに対する前記第２上り制御データの挿入を省略することを要旨とする。
【００２６】
また、無線端末（無線端末２）と、前記無線端末に送信すべきパケットに対し、前記無線端末との下り方向通信の制御に用いられる第１下り制御データ（ＲＬＰヘッダ（Ａ）、ＳＰヘッダ（Ａ）、ＲＰヘッダ（Ａ））を挿入する第１無線基地局（第１無線基地局１Ａ）と、前記第１無線基地局と通信可能であり、前記無線端末に送信すべきパケットに対し、前記無線端末との下り方向通信の制御に用いられる第２下り制御データ（ＲＬＰヘッダ（Ｂ）、ＳＰヘッダ（Ｂ）、ＲＰヘッダ（Ｂ））を挿入する第２無線基地局（第２無線基地局１Ｂ）とを用いた無線通信方法であって、前記無線端末が、前記第１無線基地局から前記第２無線基地局へ接続先を切り替えるステップと、前記第１無線基地局が、前記接続先の切り替え時において、前記第１下り制御データが挿入された前記パケットを前記第２無線基地局に転送するステップと、前記第２無線基地局が、前記第１無線基地局によって転送された前記パケットに対する前記第２下り制御データの挿入を省略するステップと、前記第２無線基地局が、前記第１無線基地局によって転送された前記パケットを前記無線端末に送信するステップと、前記無線端末が、前記第２無線基地局から受信した前記パケットに挿入されている前記第１下り制御データに基づくパケット受信処理を実行するステップとを備えることを要旨としてもよい。
【００２７】
本発明の第７の側面は、第１無線基地局（第１無線基地局１Ａ）と、前記第１無線基地局と通信可能な第２無線基地局（第２無線基地局１Ｂ）と、前記第１無線基地局に送信すべきパケットに対し、前記第１無線基地局との上り方向通信の制御に用いられる第１上り制御データ（ＲＬＰヘッダ（Ａ）、ＳＰヘッダ（Ａ）、ＲＰヘッダ（Ａ））を挿入する第１送信処理部（第１通信モジュール２０Ａ）と、前記第２無線基地局に送信すべきパケットに対し、前記第２無線基地局との上り方向通信の制御に用いられる第２上り制御データ（ＲＬＰヘッダ（Ｂ）、ＳＰヘッダ（Ｂ）、ＲＰヘッダ（Ｂ））を挿入する第２送信処理部（第２通信モジュール２０Ｂ）とを有する無線端末（無線端末２）とを用いた無線通信方法であって、前記無線端末が、前記第１無線基地局から前記第２無線基地局へ接続先を切り替えるステップと、前記第１送信処理部が、前記接続先の切り替え時において、前記第１上り制御データが挿入された前記パケットを前記第２送信処理部に転送するステップと、前記第２送信処理部が、前記第１送信処理部によって転送された前記パケットに対する前記第２上り制御データの挿入を省略するステップと、前記第２送信処理部が、前記第１送信処理部によって転送された前記パケットを前記第２無線基地局に送信するステップと、前記第２無線基地局が、前記無線端末から受信した前記パケットを前記第１無線基地局に転送するステップとを備えることを要旨とする。
【発明の効果】
【００２８】
本発明によれば、無線端末のハンドオーバ時に無線基地局間でパケット転送を行うシステム構成において、ハンドオーバ先の無線基地局と無線端末との間で送受信されるパケットのオーバヘッドを低減可能な無線通信システム、無線基地局、無線端末及び無線通信方法を提供できる。
【図面の簡単な説明】
【００２９】
【図１】本発明の実施形態に係る無線通信システムの全体概略構成図である。
【図２】本発明の実施形態に係る第１無線基地局の概略構成を示す概略構成図である。
【図３】本発明の実施形態に係る無線端末の概略構成を示す概略構成図である。
【図４】本発明の実施形態に係る無線端末の第１通信モジュール及び第２通信モジュールを説明するための図である。
【図５】本発明の実施形態に係る第１無線基地局、第２無線基地局及び無線端末の詳細構成を示す機能ブロック構成図である。
【図６】本発明の実施形態に係る無線通信システムにおいて用いられるパケットの構成を示す図である。
【図７】本発明の実施形態に係る無線通信システムの下り方向通信における全体概略動作を説明するための概念図である。
【図８】本発明の実施形態に係る無線通信システムの全体動作を示すシーケンス図である。
【図９】ＩＰＴ−Ｎｏｔｉｆｉｃａｔｉｏｎの最後部分にＲＰ情報用のフィールドを追加した例を示す図である。
【図１０】ＩＰＴ−Ｎｏｔｉｆｉｃａｔｉｏｎ Ａｃｋの最後部分にＲＬＰ情報用のフィールドを追加した例を示す図である。
【図１１】本発明の実施形態に係る第２無線基地局の下り方向通信における動作を示すフローチャートである。
【図１２】本発明の実施形態に係る無線端末の第２通信モジュールの下り方向通信における動作を示すフローチャートである。
【図１３】本発明の実施形態に係る無線端末の第２通信モジュールの上り方向通信における動作を示すフローチャートである。
【図１４】本発明の実施形態に係る第２無線基地局の上り方向通信における動作を示すフローチャートである。
【図１５】本発明の実施形態に係るＲＬＰ部によって実行されるパケット再送動作を示すフローチャートである。
【発明を実施するための形態】
【００３０】
次に、図面を参照して、本発明の実施形態を説明する。具体的には、（１）無線通信システムの概略構成、（２）無線通信システムの詳細構成、（３）パケットの構成、（４）無線通信システムの動作、（５）作用及び効果、（６）その他の実施形態について説明する。
【００３１】
以下の実施形態における図面の記載において、同一又は類似の部分には同一又は類似の符号を付している。
【００３２】
（１）無線通信システムの概略構成
まず、無線通信システム１０の概略構成、具体的には、（１．１）全体概略構成、（１．２）無線基地局の概略構成、（１．３）無線端末の概略構成について説明する。
【００３３】
（１．１）全体概略構成
図１は、本実施形態に係る無線通信システム１０の全体概略構成図である。
【００３４】
図１に示すように、無線通信システム１０は、第１無線基地局１Ａ、第２無線基地局１Ｂ、無線端末２、アクセスゲートウェイ３、及びネットワーク４を含む。本実施形態では、無線通信システム１０は、高速通信可能な広域ＩＰブロードバンドシステムの１つである3GPP2 UMB Air Interface（以下、単に「ＵＭＢシステム」という）に基づく構成を有する。
【００３５】
第１無線基地局１Ａ、第２無線基地局１Ｂ及びアクセスゲートウェイ３は、図示を省略するルータなどを介して互いに有線接続されている。第１無線基地局１Ａ及び第２無線基地局１Ｂは、アクセスゲートウェイ３を介してネットワーク４と通信可能である。また、第１無線基地局１Ａ及び第２無線基地局１Ｂは、互いに通信（すなわち、基地局間通信）することができる。
【００３６】
第１無線基地局１Ａ及び第２無線基地局１Ｂは、通信可能エリア内に位置する無線端末２と無線通信する。無線端末２は、第１無線基地局１Ａ及び第２無線基地局１Ｂが送信する報知信号（いわゆる、パイロット信号）の受信品質を比較して受信品質が高い方に接続する。
【００３７】
図１の例では、無線端末２は、第１無線基地局１Ａの通信可能エリアから第２無線基地局１Ｂの通信可能エリアに向けて移動しており、第１無線基地局１Ａから第２無線基地局１Ｂへ接続先を切り替えるハンドオーバを実行する。
【００３８】
ここで、第１無線基地局１Ａと、第１無線基地局１Ａ及びアクセスゲートウェイ３間の通信経路とには、無線端末２に送信すべき下りパケットが残存することになる。そこで、第１無線基地局１Ａは、アクセスゲートウェイ３と第２無線基地局１Ｂとの中継局（アンカー）となり、無線端末２へ未送信のパケットを第２無線基地局１Ｂへ基地局間通信を利用して転送する。
【００３９】
これにより、パケットロスの少ないハンドオーバが実現される。また、アクセスゲートウェイ３と第２無線基地局１Ｂとの通信経路を確立する時間が短縮され、高速なハンドオーバが実現される。
【００４０】
上り方向通信において、第２無線基地局１Ｂは、無線端末２から受信した上りパケットを第１無線基地局１Ａへ基地局間通信を利用して転送する。第１無線基地局１Ａは、第２無線基地局１Ｂから受信した上りパケットをアクセスゲートウェイ３に中継する。なお、ＵＭＢシステムでは、オプションとして、第２無線基地局１Ｂが第１無線基地局１Ａを介さずに上りパケットを直接アクセスゲートウェイ３に中継することも可能である。
【００４１】
ＵＭＢシステムにおいては、第１無線基地局１Ａのようにアクセスゲートウェイ３及び第２無線基地局１Ｂ間の中継局として機能する無線基地局をＤＡＰ(Data Attachment Point)と称し、第２無線基地局１Ｂのように実際に無線端末２に下りパケットを送信する無線基地局をＦＬＳＥ(Forward Link Serving eBS)と称し、第２無線基地局１Ｂのように実際に無線端末２から上りパケットを受信する無線基地局をＲＬＳＥ(Reverse Link Serving eBS)と称している。なお、ＦＬＳＥとＲＬＳＥとが異なる無線基地局となる場合もある。
【００４２】
ＵＭＢシステムでは、第１無線基地局１Ａにて送信予定であったパケットに、第２無線基地局１Ｂがハンドオーバ元の第１無線基地局１Ａを示す情報を付与し、第２無線基地局１Ｂから送信する通常のパケットとして扱い、所定の処理を行った後無線端末２に送信する。
【００４３】
具体的には、ハンドオーバ元の第１無線基地局１Ａ及びハンドオーバ先の第２無線基地局１Ｂのそれぞれは、無線端末２との下り方向通信の制御に用いられる制御データをパケットのヘッダとして挿入する。以下においては、ハンドオーバ元の第１無線基地局１Ａがパケットに挿入する制御データ（ヘッダ）を適宜「第１下り制御データ」と称し、ハンドオーバ先の第２無線基地局１Ｂがパケットに挿入する制御データ（ヘッダ）を適宜「第２下り制御データ」と称する。
【００４４】
また、ＵＭＢシステムにおいて、ハンドオーバ元の第１無線基地局１Ａからハンドオーバ先の第２無線基地局１ＢへＤＡＰを切り替える方式としては、以下の（ａ）〜（ｃ）などが想定されている。
【００４５】
（ａ）ハンドオーバから一定期間経過した後に、ＤＡＰを第１無線基地局１Ａから第２無線基地局１Ｂに切り替える方式
（ｂ）送受信のユーザデータトラフィックがなくなった際に、ＤＡＰを第１無線基地局１Ａから第２無線基地局１Ｂに切り替える方式
（ｃ）第１無線基地局１Ａにて未処理・未送信のデータを第２無線基地局１Ｂに送信が完了した際に、ＤＡＰを第１無線基地局１Ａから第２無線基地局１Ｂに切り替える方式
このようにＤＡＰを第１無線基地局１Ａから第２無線基地局１Ｂに切り替えることによってＤＡＰとＦＬＳＥとが同じ無線基地局になる。
【００４６】
以下の実施形態では、下り方向通信（フォワードリンク）において、第１無線基地局１ＡがＤＡＰであり、且つ第２無線基地局１ＢがＦＬＳＥである場合について説明する。また、上り方向通信（リバースリンク）において、第１無線基地局１ＡがＤＡＰであり、且つ第２無線基地局１ＢがＲＬＳＥである場合について説明する。
【００４７】
なお、ＵＭＢシステムでは、IETF RFC3931 Layer Two Tunneling Protocol-Version 3 (L2TPv3)、IETF RFC2784 Generic Routing Encapsulation (GRE)に代表されるようなＩＰトンネリング技術が採用される。具体的には、第１無線基地局１Ａとアクセスゲートウェイ３間のユーザデータベアラにはＧＲＥが採用され、第１無線基地局１Ａと第２無線基地局１Ｂ間のユーザデータベアラにはL2TPv3が採用される。
【００４８】
（１．２）無線基地局の概略構成
図２は、第１無線基地局１Ａの概略構成を示す概略構成図である。第２無線基地局１Ｂの概略構成は第１無線基地局１Ａと同様であるため、第２無線基地局１Ｂの概略構成についての説明は省略する。
【００４９】
図２に示すように、第１無線基地局１Ａは、ＲＦ部１０１、制御部１０２、Ｉ／Ｆ部１０３、及び記憶部１０４を含む。
【００５０】
ＲＦ部１０１は、ＬＮＡ、パワーアンプ、アップコンバータ及びダウンコンバータなどを含み、無線信号の送受信を行う。Ｉ／Ｆ部１０３は、ルータなどを介して第２無線基地局１Ｂ及びアクセスゲートウェイ３に有線接続される。
【００５１】
制御部１０２は、例えばＣＰＵによって構成され、第１無線基地局１Ａが具備する各種機能を制御する。また、制御部１０２は、後述する各種のプロトコルに従った処理を実行する。
【００５２】
記憶部１０４は、例えばメモリによって構成され、第１無線基地局１Ａにおける制御などに用いられる各種情報を記憶する。また、記憶部１０４は、無線端末２と送受信するデータを一時的に記憶するバッファ部１０４ａを有する。
【００５３】
（１．３）無線端末の概略構成
図３は、無線端末２の概略構成を示す概略構成図である。
【００５４】
図３に示すように、無線端末２は、ＲＦ部２０１、操作部２０２、制御部２０３、音声コーデック部２０４、マイク２０５、スピーカ２０６、表示部２０７、及び記憶部２０８を含む。
【００５５】
ＲＦ部２０１は、ＬＮＡ、パワーアンプ、アップコンバータ及びダウンコンバータなどを含み、無線信号の送受信を行う。制御部２０３は、例えばＣＰＵによって構成され、無線端末２が具備する各種機能を制御する。また、制御部２０３は、後述する各種のプロトコルに従った処理を実行する。記憶部２０８は、例えばメモリによって構成され、無線端末２における制御などに用いられる各種情報を記憶する。記憶部２０８は、第１無線基地局１Ａ又は第２無線基地局１Ｂと送受信するデータを一時的に記憶するバッファ部２０８ａを有する。
【００５６】
表示部２０７は、制御部２０３を介して受信した画像を表示したり、操作内容（入力電話番号やアドレスなど）を表示したりする。操作部２０２は、テンキーやファンクションキーなどによって構成され、ユーザの操作内容を入力するために用いられるインタフェースである。
【００５７】
マイク２０５は、音声を集音し、集音された音声に基づく音声データを音声コーデック部２０４経由で制御部２０３に入力する。スピーカ２０６は、音声コーデック部２０４を介して制御部２０３から取得した音声データに基づいて音声を出力する。
【００５８】
音声コーデック部２０４は、例えば音声コーデック方式Ｇ．７２９に従って構成される。Ｇ．７２９は、アナログ電話帯域（３．４ｋＨｚ≒４ｋＨｚ）の信号を８ｋＨｚでサンプリング（標本化）し、８ｋｂｐｓの伝送速度を実現する方式であり、狭帯域の伝送路を使用した通信において適応力がある。このような通信方式は、データサイズの少ないパケットを短いインターバルで送信する特質を持つ。
【００５９】
（２）無線通信システムの詳細構成
次に、無線通信システム１０の詳細構成、具体的には、（２．１）ＵＭＢシステム概要、（２．２）ハンドオーバ元無線基地局の詳細構成、（２．３）ハンドオーバ先無線基地局の詳細構成、（２．４）無線端末の詳細構成について説明する。
【００６０】
（２．１）ＵＭＢシステム概要
図４は、無線端末２の第１通信モジュール２０Ａ及び第２通信モジュール２０Ｂを説明するための図である。
【００６１】
ＵＭＢシステムでは、無線端末２の内部に、通信相手の無線基地局の数に合わせて複数の通信モジュールが存在する。本実施形態では、第１通信モジュール２０Ａは、第１無線基地局１Ａに対応する通信モジュールである。第２通信モジュール２０Ｂは、第２無線基地局１Ｂに対応する通信モジュールである。
【００６２】
下り方向通信において、第２通信モジュール２０Ｂは、第２無線基地局１Ｂから無線区間を介してパケットを受信し、パケットを第１通信モジュール２０Ａに内部転送する。無線端末２においては、ハンドオーバ時に、ハンドオーバ先の第２無線基地局１Ｂに対応する第２通信モジュール２０Ｂを経由して、ハンドオーバ元の第１無線基地局１Ａに対応する第１通信モジュール２０Ａのプロトコル処理を行う。
【００６３】
上り方向通信において、第１通信モジュール２０Ａは、第１無線基地局１Ａ用の制御データ（ヘッダ）をパケットに挿入する。第２通信モジュール２０Ｂは、第２無線基地局１Ｂ用の制御データ（ヘッダ）をパケットに挿入する。以下では、第１通信モジュール２０Ａが挿入する制御データ（ヘッダ）を適宜「第１上り制御データ」と称し、第２通信モジュール２０Ｂがパケットに挿入する制御データ（ヘッダ）を適宜「第２上り制御データ」と称する。
【００６４】
第１通信モジュール２０Ａは、第１無線基地局１Ａへ送信すべきパケットを第２通信モジュール２０Ｂに内部転送する。第２通信モジュール２０Ｂは、第１通信モジュール２０Ａから転送されたパケットを第２無線基地局１Ｂに無線区間を介して送信する。
【００６５】
図５は、第１無線基地局１Ａ、第２無線基地局１Ｂ及び無線端末２の詳細構成を示す機能ブロック構成図である。なお、図５は、ＵＭＢシステムに従ったプロトコルスタック図も兼ねている。
【００６６】
図５に示すように、第１無線基地局１Ａは、ＡＰＰ部１１Ａ、ＩＲＴＰ部１２Ａ、ＲＬＰ部１３Ａ、ＳＰ部１４Ａ、ＲＰ部１５Ａ、及びＰＣＰ／ＭＡＣ／ＰＨＹ部１６Ａを含む。第２無線基地局１Ｂは、ＡＰＰ部１１Ｂ、ＩＲＴＰ部１２Ｂ、ＲＬＰ部１３Ｂ、ＳＰ部１４Ｂ、ＲＰ部１５Ｂ、及びＰＣＰ／ＭＡＣ／ＰＨＹ部１６Ｂを含む。
【００６７】
無線端末２の第１通信モジュール２０Ａは、ＡＰＰ部２１Ａ、ＩＲＴＰ部２２Ａ、ＲＬＰ部２３Ａ、ＳＰ部２４Ａ、ＲＰ部２５Ａ、及びＰＣＰ／ＭＡＣ／ＰＨＹ部２６Ａを含む。無線端末２の第２通信モジュール２０Ｂは、ＡＰＰ部２１Ｂ、ＩＲＴＰ部２２Ｂ、ＲＬＰ部２３Ｂ、ＳＰ部２４Ｂ、ＲＰ部２５Ｂ、及びＰＣＰ／ＭＡＣ／ＰＨＹ部２６Ｂを含む。
【００６８】
ＡＰＰ部１１Ａ、ＡＰＰ部１１Ｂ、ＡＰＰ部２１Ａ及びＡＰＰ部２１Ｂは、ＵＭＢシステムにおけるＡＰＰ（Application Protocol）に基づく処理を実行する。ＡＰＰは、ＩＰ（Internet Protocol）、ＲＯＨＣ（RObust Header Compression）、ＥＡＰ（Extensible Authentication Protocol）などのスタンダードプロトコルを複数有するプロトコルである。
【００６９】
ＩＲＴＰ部１２Ａ、ＩＲＴＰ部１２Ｂ、ＩＲＴＰ部２２Ａ及びＩＲＴＰ部２２Ｂは、ＵＭＢシステムにおけるＩＲＴＰ（Inter-Route Tunneling Protocol）に基づく処理を実行する。ＩＲＴＰは、無線端末２内のモジュール間転送機能を有するプロトコルである。
【００７０】
ＲＬＰ部１３Ａ、ＲＬＰ部１３Ｂ、ＲＬＰ部２３Ａ及びＲＬＰ部２３Ｂは、ＵＭＢシステムにおけるＲＬＰ（Radio Link Protocol）に基づく処理を実行する。ＲＬＰは、パケット分割（フラグメント）と再構築、下りの再送制御機能を有するプロトコルである。具体的には、ＲＬＰでは、パケット分割と再構築を行うＳＡＲ（Segmentation And Reassembly）サブプロトコルと、再送制御を行うＱＮ（Quick Nak）サブプロトコルとが規定されている。
【００７１】
ＳＰ部１４Ａ、ＳＰ部１４Ｂ、ＳＰ部２４Ａ及びＳＰ部２４Ｂは、ＵＭＢシステムにおけるＳＰ（Stream Protocol）に基づく処理を実行する。ＳＰは、分割された上位パケットをそれぞれのストリーム（パケットストリーム）に振り分けるプロトコルである。ここで、ＵＭＢシステムでは、ストリームとして、例えば次のような用途が規定されている。ストリーム０：Broadcast Signaling on forward link and Reserved on reverse link、ストリーム1：Best Effort Delivery Signaling、ストリーム2：Reliable Delivery Signaling、ストリーム3：Broadcast Inter Route Tunneling on forward link and Reserved on reverse link、ストリーム4：Best Effort Delivery Inter Route Tunnelingなど。
【００７２】
ＲＰ部１５Ａ、ＲＰ部１５Ｂ、ＲＰ部２５Ａ及びＲＰ部２５Ｂは、ＵＭＢシステムにおけるＲＰ（Route Protocol）に基づく処理を実行する。ＲＰは、無線端末−無線基地局間の通信経路（サービスルート）を選択するプロトコルである。
【００７３】
なお、上記のＲＬＰ、ＳＰ、ＲＰの各プロトコルは、ＵＭＢシステムで規定される無線リンクレイヤにおけるプロトコルである。
【００７４】
ＰＣＰ／ＭＡＣ／ＰＨＹ部１６Ａ、ＰＣＰ／ＭＡＣ／ＰＨＹ部１６Ｂ、ＰＣＰ／ＭＡＣ／ＰＨＹ部２６Ａ及びＰＣＰ／ＭＡＣ／ＰＨＹ部２６Ｂは、ＵＭＢシステムにおけるＰＣＰ／ＭＡＣ／ＰＨＹ(Packet Consolidation Protocol/MAC/PHY)に基づく処理を実行する。ＰＣＰ／ＭＡＣ／ＰＨＹは、上位パケットをカプセリング化して無線送信する機能を有するプロトコルである。
【００７５】
（２．２）ハンドオーバ元無線基地局の詳細構成
引き続き図５を参照して、ハンドオーバ元の第１無線基地局１Ａの詳細構成について説明する。
【００７６】
下り方向通信において、ＲＬＰ部１３Ａ、ＳＰ部１４Ａ及びＲＰ部１５Ａは、無線端末２に送信すべきパケットに対し、無線端末２と第１無線基地局１Ａとの下り方向通信の制御に用いられる第１下り制御データ（ＲＬＰヘッダ（Ａ）、ＳＰヘッダ（Ａ）及びＲＰヘッダ（Ａ））を挿入する第１下り制御データ挿入部を構成する。
【００７７】
ＲＰ部１５Ａは、無線端末２のハンドオーバ時において、ＲＬＰヘッダ（Ａ）、ＳＰヘッダ（Ａ）及びＲＰヘッダ（Ａ）が挿入されたパケットを第２無線基地局１Ｂに転送するパケット転送部を構成する。
【００７８】
さらに、下り方向通信において、ＲＬＰ部１３Ａは、無線端末２が受信に失敗したパケットを無線端末２に再送する第１下り再送処理を実行する第１下り再送処理部を構成する。また、ＲＬＰ部１３Ａは、無線端末２に送信するユーザデータ（ＡＰＰデータ）を分解してパケットを生成する第１下りフラグメント処理を実行する第１下りフラグメント処理部を構成する。
【００７９】
一方、上り方向通信において、ＲＬＰ部１３Ａ、ＳＰ部１４Ａ及びＲＰ部１５Ａは、ＲＬＰ部２３Ａ、ＳＰ部２４Ａ及びＲＰ部２５Ａによって挿入された第１上り制御データ（ＲＬＰヘッダ（Ａ）、ＳＰヘッダ（Ａ）及びＲＰヘッダ（Ａ））に基づくパケット受信処理を実行する第１上り受信処理部を構成する。
【００８０】
上り方向通信において、ＲＬＰ部１３Ａは、受信に失敗したパケットの再送をＲＬＰ部２３Ａに要求する第１上り再送要求を実行する第１上り再送要求部を構成する。
【００８１】
（２．３）ハンドオーバ先無線基地局の詳細構成
引き続き図５を参照して、ハンドオーバ先の第２無線基地局１Ｂの詳細構成について説明する。
【００８２】
下り方向通信において、ＲＬＰ部１３Ｂ、ＳＰ部１４Ｂ及びＲＰ部１５Ｂは、無線端末２と第２無線基地局１Ｂとの下り方向通信の制御に用いられる第２下り制御データ（ＲＬＰヘッダ（Ｂ）、ＳＰヘッダ（Ｂ）及びＲＰヘッダ（Ｂ））を挿入する第２下り制御データ挿入部を構成する。ＰＣＰ／ＭＡＣ／ＰＨＹ部１６Ｂは、第１無線基地局１Ａによって転送されたパケットを無線端末２に送信するパケット送信部を構成する。
【００８３】
無線端末２のハンドオーバ時において、ＲＬＰ部１３Ｂ、ＳＰ部１４Ｂ及びＲＰ部１５Ｂは、第１無線基地局１Ａによって転送されたパケットに対する第２下り制御データ（ＲＬＰヘッダ（Ｂ）、ＳＰヘッダ（Ｂ）及びＲＰヘッダ（Ｂ））の挿入を省略する。
【００８４】
ＩＲＴＰ部１２Ｂは、無線端末２のハンドオーバ時において第１無線基地局１Ａによって転送されたパケットを無線端末２に送信する場合、無線端末２に送信するパケットに対し、第１無線基地局１Ａによって転送されたパケットであることを示す下り転送情報（ＩＲＴＰヘッダ（Ｂ））を挿入する下り転送情報挿入部を構成する。
【００８５】
下り方向通信において、ＲＬＰ部１３Ｂは、無線端末２が受信に失敗したパケットを無線端末２に再送する第２下り再送処理を実行する第２下り再送処理部を構成する。
【００８６】
無線端末２のハンドオーバ時において、ＲＬＰ部１３Ｂは、第１下り再送処理に用いられる第１下り再送制御情報（ＲＬＰ情報）をＲＬＰ部１３Ａから取得し、取得した第１下り再送制御情報を用いて第２下り再送処理を実行する。
【００８７】
なお、ＲＬＰ部１３Ａは、ＲＬＰ部１３Ｂが第１下り再送制御情報を用いて第２下り再送処理を実行する場合、第１下り再送処理を省略する。
【００８８】
また、ＲＬＰ部１３Ｂは、無線端末２に送信するユーザデータ（ＡＰＰデータ）を分解してパケットを生成する第２下りフラグメント処理を実行する第２下りフラグメント処理部を構成する。ここで、ＲＬＰ部１３Ｂは、無線端末２のハンドオーバ時において、第２下りフラグメント処理を省略する。
【００８９】
一方、上り方向通信において、ＲＬＰ部１３Ｂ、ＳＰ部１４Ｂ及びＲＰ部１５Ｂは、第１上り制御データ（ＲＬＰヘッダ（Ａ）、ＳＰヘッダ（Ａ）及びＲＰヘッダ（Ａ））又は第２上り制御データ（ＲＬＰヘッダ（Ｂ）、ＳＰヘッダ（Ｂ）及びＲＰヘッダ（Ｂ））に基づくパケット受信処理を実行する第２上り受信処理部を構成する。
【００９０】
ＲＬＰ部１３Ｂ、ＳＰ部１４Ｂ及びＲＰ部１５Ｂは、無線端末２から受信したパケットに上り転送情報が挿入されている場合、無線端末２から受信したパケットに挿入されている第１上り制御データ（ＲＬＰヘッダ（Ａ）、ＳＰヘッダ（Ａ）及びＲＰヘッダ（Ａ））に基づくパケット受信処理を実行する。
【００９１】
なお、ＲＬＰ部１３Ａ、ＳＰ部１４Ａ及びＲＰ部１５Ａは、ＲＬＰ部１３Ｂ、ＳＰ部１４Ｂ及びＲＰ部１５Ｂが第１上り制御データ（ＲＬＰヘッダ（Ａ）、ＳＰヘッダ（Ａ）及びＲＰヘッダ（Ａ））に基づくパケット受信処理を実行する場合、第１上り制御データに基づくパケット受信処理を省略する。
【００９２】
また、上り方向通信において、ＲＬＰ部１３Ｂは、受信に失敗したパケットの再送をＲＬＰ部２３Ｂに要求する第２上り再送要求を実行する第２上り再送要求部を構成する。
【００９３】
ＲＬＰ部１３Ｂは、無線端末２のハンドオーバ時において、第１上り再送要求に用いられる第２上り再送制御情報（ＲＬＰ情報）をＲＬＰ部１３Ａから取得し、第２上り再送制御情報を用いて第２上り再送要求を実行する。
【００９４】
なお、ＲＬＰ部１３Ａは、ＲＬＰ部１３Ｂが第２上り再送制御情報を用いて第２上り再送要求を実行する場合、第１上り再送要求を省略する。
【００９５】
（２．４）無線端末の詳細構成
引き続き図５を参照して、無線端末２の詳細構成について説明する。
【００９６】
下り方向通信において、第１通信モジュール２０Ａは、第１下り制御データ（ＲＬＰヘッダ（Ａ）、ＳＰヘッダ（Ａ）及びＲＰヘッダ（Ａ））に基づくパケット受信処理を実行する第１下り受信処理部を構成する。
【００９７】
第２通信モジュール２０Ｂは、第１下り制御データ（ＲＬＰヘッダ（Ａ）、ＳＰヘッダ（Ａ）及びＲＰヘッダ（Ａ））又は第２下り制御データ（ＲＬＰヘッダ（Ｂ）、ＳＰヘッダ（Ｂ）及びＲＰヘッダ（Ｂ））に基づくパケット受信処理を実行する第２下り受信処理部を構成する。
【００９８】
第２通信モジュール２０Ｂは、第２無線基地局１Ｂから受信したパケットに下り転送情報（ＩＲＴＰヘッダ（Ｂ））が挿入されている場合、第２無線基地局１Ｂから受信したパケットに挿入されている第１下り制御データ（ＲＬＰヘッダ（Ａ）、ＳＰヘッダ（Ａ）及びＲＰヘッダ（Ａ））に基づくパケット受信処理を実行する。
【００９９】
そして、第１通信モジュール２０Ａは、第２通信モジュール２０Ｂが第１下り制御データ（ＲＬＰヘッダ（Ａ）、ＳＰヘッダ（Ａ）及びＲＰヘッダ（Ａ））に基づくパケット受信処理を実行する場合、第１下り制御データ（ＲＬＰヘッダ（Ａ）、ＳＰヘッダ（Ａ）及びＲＰヘッダ（Ａ））に基づくパケット受信処理を省略する。
【０１００】
また、下り方向通信において、第１通信モジュール２０ＡのＲＬＰ部２３Ａは、受信に失敗したパケットの再送をＲＬＰ部１３Ａに要求する第１下り再送要求を実行する第１下り再送要求部を構成する。ＲＬＰ部２３Ｂは、受信に失敗したパケットの再送をＲＬＰ部１３Ｂに要求する第２下り再送要求を実行する第２下り再送要求部を構成する。
【０１０１】
ＲＬＰ部２３Ｂは、ハンドオーバ時において、第１下り再送要求に用いられる第２下り再送制御情報（ＲＬＰ情報）をＲＬＰ部２３Ａから取得し、取得した第２下り再送制御情報を用いて第２下り再送要求を実行する。そして、ＲＬＰ部２３Ａは、ＲＬＰ部２３Ｂが第２下り再送制御情報を用いて第２下り再送要求を実行する場合、第１下り再送要求を省略する。
【０１０２】
一方、上り方向通信において、第１通信モジュール２０Ａは、第１無線基地局１Ａに送信すべきパケットに対し、無線端末２と第１無線基地局１Ａとの上り方向通信の制御に用いられる第１上り制御データ（ＲＬＰヘッダ（Ａ）、ＳＰヘッダ（Ａ）及びＲＰヘッダ（Ａ））を挿入する第１送信処理部を構成する。
【０１０３】
第２通信モジュール２０Ｂは、第２無線基地局１Ｂに送信すべきパケットに対し、無線端末２と第２無線基地局１Ｂとの上り方向通信の制御に用いられる第２上り制御データ（ＲＬＰヘッダ（Ｂ）、ＳＰヘッダ（Ｂ）及びＲＰヘッダ（Ｂ））を挿入する第２送信処理部を構成する。
【０１０４】
第１通信モジュール２０Ａは、無線端末２のハンドオーバ時において、第１上り制御データ（ＲＬＰヘッダ（Ａ）、ＳＰヘッダ（Ａ）及びＲＰヘッダ（Ａ））が挿入されたパケットを第２通信モジュール２０Ｂに転送する。
【０１０５】
第２通信モジュール２０Ｂは、第１通信モジュール２０Ａによって転送されたパケットを第２無線基地局１Ｂに送信するとともに、第１通信モジュール２０Ａによって転送されたパケットに対する第２上り制御データ（ＲＬＰヘッダ（Ｂ）、ＳＰヘッダ（Ｂ）及びＲＰヘッダ（Ｂ））の挿入を省略する。
【０１０６】
ＩＲＴＰ部２２Ｂは、第１通信モジュール２０Ａによって転送されたパケットを第２無線基地局１Ｂに送信する場合、第２無線基地局１Ｂに送信するパケットに対し、第１通信モジュール２０Ａによって転送されたパケットであることを示す上り転送情報（ＩＲＴＰヘッダ（Ｂ））を挿入する上り転送情報挿入部を構成する。
【０１０７】
第１通信モジュール２０ＡのＲＬＰ部２３Ａは、第１無線基地局１Ａが受信に失敗したパケットを第１無線基地局１Ａに再送する第１上り再送処理を実行する第１上り再送処理部を構成する。第２通信モジュール２０ＢのＲＬＰ部２３Ｂは、第２無線基地局１Ｂが受信に失敗したパケットを第２無線基地局１Ｂに再送する第２上り再送処理を実行する第２上り再送処理部を構成する。
【０１０８】
ＲＬＰ部２３Ｂは、ハンドオーバ時において、第１上り再送処理に用いられる第１上り再送制御情報（ＲＬＰ情報）をＲＬＰ部２３Ａから取得し、取得した第１上り再送制御情報を用いて第２上り再送処理を実行する。ＲＬＰ部２３Ａは、ＲＬＰ部２３Ｂが第１上り再送制御情報を用いて第２上り再送処理を実行する場合、第１上り再送処理を省略する。
【０１０９】
ＲＬＰ部２３Ａは、第１無線基地局１Ａに送信するユーザデータ（ＡＰＰデータ）を分解してパケットを生成する第１上りフラグメント処理を実行する第１上りフラグメント処理部を構成する。ＲＬＰ部２３Ｂは、第２無線基地局１Ｂに送信するユーザデータ（ＡＰＰデータ）を分解してパケットを生成する第２上りフラグメント処理を実行する第２上りフラグメント処理部を構成する。ＲＬＰ部２３Ｂは、ハンドオーバ時において、第２上りフラグメント処理を省略する。
【０１１０】
（３）パケットの構成
図６は、無線通信システム１０において用いられるパケットの構成を示す図である。
【０１１１】
ＲＬＰ部１３Ａ及びＲＬＰ部１３Ｂは、図６（ａ）に示すようなＡＰＰデータを分割（フラグメント）し、分割したデータにＲＬＰヘッダを付加し、図６（ｂ）に示すＲＬＰパケットを生成する。ＲＬＰヘッダには、フラグメントされたデータの始点や終点を示すデータや、再送処理に使用されるシーケンス番号などが挿入される。
【０１１２】
ＳＰ部１４Ａ及びＳＰ部１４Ｂは、図６（ｂ）に示すＲＬＰパケットにＳＰヘッダを付加し、図６（ｃ）に示すＳＰパケットを生成する。ＳＰヘッダには、ＲＬＰパケットの用途に応じたストリームへの振り分けに用いられるデータが挿入される。
【０１１３】
ＲＰ部１５Ａ及びＲＰ部１５Ｂは、図６（ｃ）に示すＳＰパケットにＲＰヘッダを付加し、図６（ｄ）に示すＲＰパケットを生成する。ＲＰヘッダには、上記サービスルートを識別するためのデータが挿入される。
【０１１４】
さらに、ＩＲＴＰ部１２Ｂは、ハンドオーバ元の第１無線基地局１Ａを示すＩＲＴＰヘッダを付加する。この結果、ＲＬＰヘッダ、ＳＰヘッダ、ＲＰヘッダ、ＩＲＴＰヘッダ合計で３バイト〜３３バイトとなる。
【０１１５】
（４）無線通信システムの動作
次に、無線通信システム１０の動作、具体的には、（４．１）無線通信システムの全体概略動作、（４．２）無線通信システムの全体動作シーケンス、（４．３）下り方向通信における詳細動作、（４．４）上り方向通信における詳細動作、（４．５）再送動作について説明する。
【０１１６】
（４．１）無線通信システムの全体概略動作
図７は、無線通信システム１０の下り方向通信における全体概略動作を説明するための概念図である。
【０１１７】
第１無線基地局１Ａは、アクセスゲートウェイ３から受信したＩＰペイロードに第１無線基地局１Ａ用の各種ヘッダ（ＲＬＰヘッダ（Ａ）、ＳＰヘッダ（Ａ）及びＲＰヘッダ（Ａ））を付与し、第２無線基地局１Ｂに転送する。
【０１１８】
このパケットを受信した第２無線基地局１Ｂは、ＲＬＰヘッダ（Ａ）、ＳＰヘッダ（Ａ）及びＲＰヘッダ（Ａ）をコピーして二組のＲＬＰヘッダ（Ａ）、ＳＰヘッダ（Ａ）及びＲＰヘッダ（Ａ）を生成するとともに、一方を削除して、一組のＲＬＰヘッダ（Ａ）、ＳＰヘッダ（Ａ）及びＲＰヘッダ（Ａ）をパケットに付与し、無線端末２に送信する。
【０１１９】
（４．２）無線通信システムの全体動作シーケンス
図８は、無線通信システム１０の全体動作を示すシーケンス図である。具体的には、図８は、下り方向通信における動作例を示している。
【０１２０】
ステップＳ１０１において、無線端末２は、第１無線基地局１Ａに接続し、第１無線基地局１Ａから下りパケットを受信している。
【０１２１】
ステップＳ１０２において、無線端末２は、第１無線基地局１Ａから第２無線基地局１Ｂへハンドオーバする。
【０１２２】
ステップＳ１０３において、第２無線基地局１Ｂは、無線端末２のハンドオーバを通知するＩＰＴ−Ｎｏｔｉｆｉｃａｔｉｏｎを第１無線基地局１Ａに送信する。
【０１２３】
ステップＳ１０４において、第１無線基地局１Ａは、ＩＰＴ−Ｎｏｔｉｆｉｃａｔｉｏｎに対する確認応答であるＩＰＴ−ＮｏｔｉｆｉｃａｔｉｏｎＡｃｋを第２無線基地局
１Ｂに送信する。
【０１２４】
なお、ＩＰＴ−Ｎｏｔｉｆｉｃａｔｉｏｎ及びＩＰＴ−Ｎｏｔｉｆｉｃａｔｉｏｎ Ａｃｋは、3GPP2 IOS（Interoperability Specification）において規定されているメッセージである。本実施形態では、ＩＰＴ−Ｎｏｔｉｆｉｃａｔｉｏｎ及びＩＰＴ−ＮｏｔｉｆｉｃａｔｉｏｎＡｃｋを用いて、第１無線基地局１Ａ及び第２無線基地局１Ｂ間でＲＬＰ情報及びＲＰ情報を交換する。具体的には、第１無線基地局１Ａは、ＲＬＰ情報として、パケットの送信順を示す送信シーケンス番号や、無線端末２から受信確認応答（ＡＣＫ）が得られていないパケットなどを第２無線基地局１Ｂに送信する。
【０１２５】
ＩＰＴ−Ｎｏｔｉｆｉｃａｔｉｏｎの最後部分にＲＰ情報用のフィールドを追加した例を図９に示す。ＩＰＴ−ＮｏｔｉｆｉｃａｔｉｏｎＡｃｋの最後部分にＲＬＰ情報用のフィールドを追加した例を図１０に示す。
【０１２６】
ステップＳ１０５において、第２無線基地局１Ｂは、第１無線基地局１ＡのＲＬＰ情報を保存する。
【０１２７】
ステップＳ１０６において、第１無線基地局１Ａは、無線端末２宛ての下りパケット＃１を第２無線基地局１Ｂに転送する。ここで、“＃１”は送信シーケンス番号を表している。ステップＳ１０７において、第２無線基地局１Ｂは、第１無線基地局１Ａから受信した下りパケット＃１を無線端末２に送信する。なお、第１無線基地局１Ａ及び第２無線基地局１Ｂは、無線端末２からのＡＣＫを受信するまで、送信したパケットをバッファ部１０４ａに保存する。
【０１２８】
ステップＳ１０８において、第１無線基地局１Ａは、無線端末２宛ての下りパケット＃２を第２無線基地局１Ｂに転送する。ステップＳ１０９において、第２無線基地局１Ｂは、第１無線基地局１Ａから受信した下りパケット＃２を無線端末２に送信する。ここで、無線端末２は、第２無線基地局１Ｂが送信した下りパケット＃２の受信に失敗したものとする。
【０１２９】
ステップＳ１１０において、第１無線基地局１Ａは、無線端末２宛ての下りパケット＃３を第２無線基地局１Ｂに転送する。ステップＳ１１１において、第２無線基地局１Ｂは、第１無線基地局１Ａから受信した下りパケット＃３を無線端末２に送信する。
【０１３０】
ステップＳ１１２において、無線端末２は、送信シーケンス番号＃２の抜けを検出し、下りパケット＃２の再送を要求するATReceiverStatus(NAK)を第２無線基地局１Ｂに送信する。
【０１３１】
ステップＳ１１３において、第２無線基地局１Ｂは、下りパケット＃２の再送要求に応じて、下りパケット＃２を無線端末２に再送する。ここで、再送された下りパケット＃２は、無線端末２において正常に受信されたものとする。
【０１３２】
ステップＳ１１４において、無線端末２は、ATReceiverStatus(ＡＣＫ)を第２無線基地局１Ｂに送信する。ステップＳ１１５において、第２無線基地局１Ｂは、無線端末２から受信したATReceiverStatus(ＡＣＫ)を第１無線基地局１Ａに転送する。
【０１３３】
ステップＳ１１６及びステップＳ１１７において、第１無線基地局１Ａ及び第２無線基地局１Ｂは、送信バッファをクリアする。
【０１３４】
（４．３）下り方向通信における詳細動作
次に、下り方向通信における詳細動作、具体的には、（４．３．１）下り方向通信における第２無線基地局の動作、（４．３．２）下り方向通信における無線端末の動作について説明する。
【０１３５】
（４．３．１）下り方向通信における第２無線基地局の動作
図１１は、下り方向通信における第２無線基地局１Ｂの動作を示すフローチャートである。ここでは、第１無線基地局１ＡのＡＰＰデータがＲＬＰ部１３Ａ、ＳＰ部１４Ａ、ＲＰ部１５Ａ及びＰＣＰ／ＭＡＣ／ＰＨＹ部１６Ａを経て無線端末２に送られていた時に、ハンドオーバが発生し、第２無線基地局１Ｂを経由することになった場合について説明する。
【０１３６】
ステップＳ４０１において、第２無線基地局１Ｂは、下りパケットを受信する。
【０１３７】
ステップＳ４０２において、第２無線基地局１Ｂは、ステップＳ４０１で受信した下りパケットが他の無線基地局から転送されたものであるか否かを判定する。他の無線基地局から転送された下りパケットでない場合、すなわち、アクセスゲートウェイ３から直接受信したパケットについては、ＲＬＰ部１３Ｂ、ＳＰ部１４Ｂ及びＲＰ部１５Ｂにより通常のプロトコル処理が実行される（ステップＳ４１０）。通常のプロトコル処理では、ＲＬＰ部１３Ｂは、上述した第２下りフラグメント処理などを実行する。
【０１３８】
ステップＳ４０１で受信した下りパケットが他の無線基地局から転送されたものである場合、処理がステップＳ４０３に進む。
【０１３９】
ステップＳ４０３において、第２無線基地局１ＢのＲＬＰ部１３Ｂは、第１無線基地局１ＡのＲＰ部１５ＡからのＲＰパケットを受信する。ＲＬＰ部１３Ｂは、ＲＬＰヘッダ（Ａ）をコピーして一方を削除するとともに、第１無線基地局１ＡのＲＬＰ部１３ＡからＲＬＰ情報（第１下り再送制御情報を取得し、再送に対応できるようにする。
【０１４０】
ここで、ＲＬＰ部１３Ｂは、受信した下りパケットが第１無線基地局１Ａから転送された下りパケットであることを記憶する。また、ＲＬＰ部１３Ｂは、上述した第２下りフラグメント処理を省略する（ステップＳ４０４）。
【０１４１】
ステップＳ４０５において、ＲＬＰ部１３Ｂは、ＲＬＰ情報（第１下り再送制御情報）を第１無線基地局１ＡのＲＬＰ部１３Ａから受信済みであるか否かを判定する。ＲＬＰ情報を未受信である場合、ＲＬＰ部１３Ｂは、ＲＬＰ部１３Ａに対してＲＬＰ情報の通知を要求する（ステップＳ４０６）。
【０１４２】
ステップＳ４０７において、ＳＰ部１４Ｂは、ＳＰヘッダ（Ａ）をコピーするとともに一方を削除する。ステップＳ４０８において、ＲＰ部１５Ｂは、ＲＰヘッダ（Ａ）をコピーするとともに一方を削除する。
【０１４３】
ステップＳ４０９において、ＩＲＴＰ部１２Ｂは、第１無線基地局１Ａによって転送された下りパケットであることを示す下り転送情報（ＩＲＴＰヘッダ（Ｂ））を挿入する。
【０１４４】
ステップＳ４１１において、ＰＣＰ／ＭＡＣ／ＰＨＹ部１６Ｂは、下りパケットを無線端末２に送信する。
【０１４５】
（４．３．２）下り方向通信における無線端末の動作
図１２は、下り方向通信における無線端末２の第２通信モジュール２０Ｂの動作を示すフローチャートである。
【０１４６】
ステップＳ５０１において、第２通信モジュール２０ＢのＰＣＰ／ＭＡＣ／ＰＨＹ部２６Ｂは、下りパケットを受信する。
【０１４７】
ステップＳ５０２において、ＩＲＴＰ部２２Ｂは、ステップＳ５０１で受信した下りパケットに下り転送情報（ＩＲＴＰヘッダ（Ｂ））が挿入されているか否かを判定する。下り転送情報（ＩＲＴＰヘッダ（Ｂ））が挿入されていない場合には、ＲＬＰ部２３Ｂ、ＳＰ部２４Ｂ及びＲＰ部２５Ｂにより通常のプロトコル処理が実行される（ステップＳ５１０）。下り転送情報（ＩＲＴＰヘッダ（Ｂ））が挿入されている場合には、ＩＲＴＰ部２２Ｂは、下り転送情報（ＩＲＴＰヘッダ（Ｂ））を取り外し、下りパケットをＲＰ部２５Ｂに渡す（ステップＳ５０３）。
【０１４８】
ステップＳ５０４において、ＲＰ部２５Ｂは、ＲＰヘッダ（Ａ）を取り外す。また、ＲＰ部２５Ｂは、下りパケットが無線基地局間で転送されてきたものであることから、第１通信モジュール２０ＡのＲＰ部２５Ａと連携をとり、必要な処理を実施する。
【０１４９】
ステップＳ５０５において、ＳＰ部２４Ｂは、ＳＰヘッダ（Ａ）を取り外す。ステップＳ５０６〜Ｓ５０８において、ＲＬＰ部２３Ｂは、ＲＬＰ部２３Ａに成り代わって再送制御（再送要求）を行う。このとき、再送制御に必要なＲＬＰ情報（第２下り再送制御情報）は、ハンドオーバ発生時に、ＲＬＰ部２３Ａから通知されているものとする。
【０１５０】
ステップＳ５０６において、ＲＬＰ部２３Ｂは、再送要求が必要であるか否かを判定する。再送要求が必要である場合には、ＲＬＰ部２３Ｂは、第２無線基地局１Ｂに下りパケットの再送を要求する（ステップＳ５０８）。
【０１５１】
ステップＳ５０７において、下りパケットは第１通信モジュール２０Ａに転送されるが、既にＲＰ／ＳＰ／ＲＬＰでの必要な処理は行われているので、そのままＡＰＰ部２１Ａに伝達させる。
【０１５２】
（４．４）上り方向通信における詳細動作
次に、上り方向通信における詳細動作、具体的には、（４．４．１）上り方向通信における無線端末の動作、（４．４．２）上り方向通信における第２無線基地局の動作について説明する。
【０１５３】
（４．４．１）上り方向通信における無線端末の動作
図１３は、上り方向通信における無線端末２の第２通信モジュール２０Ｂの動作を示すフローチャートである。
【０１５４】
ステップＳ６０１において、第２通信モジュール２０ＢのＲＬＰ部２３Ｂは、上りパケットを受信する。
【０１５５】
ステップＳ６０２において、ＲＬＰ部２３Ｂは、ステップＳ６０１で受信した上りパケットが他の通信モジュール（本実施形態では、第１通信モジュール２０Ａ）から転送されたものであるか否かを判定する。第１通信モジュール２０Ａから転送された上りパケットでない場合、すなわち、ＡＰＰ部２１Ｂから受信したパケットについては、ＲＬＰ部２３Ｂ、ＳＰ部２４Ｂ及びＲＰ部２５Ｂにより通常のプロトコル処理が実行される（ステップＳ６１０）。
【０１５６】
ステップＳ６０１で受信した下りパケットが第１通信モジュール２０Ａから転送されたものである場合、処理がステップＳ６０３に進む。ステップＳ６０３において、ＲＬＰ部２３Ｂは、第１通信モジュール２０Ａから転送された旨の情報を保存する。
【０１５７】
ステップＳ６０４において、ＲＬＰ部２３Ｂは、ＲＬＰヘッダ（Ａ）をコピーして一方を削除するとともに、第１通信モジュール２０ＡのＲＬＰ部２３ＡからＲＬＰ情報（第１上り再送制御情報を取得し、再送に対応できるようにする。また、ＲＬＰ部２３Ｂは、上述した第２上りフラグメント処理を省略する（ステップＳ６０４）。
【０１５８】
ステップＳ６０５において、ＲＬＰ部２３Ｂは、ＲＬＰ情報（第１上り再送制御情報）を第１通信モジュール２０ＡのＲＬＰ部２３Ａから受信済みであるか否かを判定する。ＲＬＰ情報を未受信である場合、ＲＬＰ部２３Ｂは、ＲＬＰ部２３Ａに対してＲＬＰ情報の通知を要求する（ステップＳ６０６）。
【０１５９】
ステップＳ６０７において、ＳＰ部２４Ｂは、ＳＰヘッダ（Ａ）をコピーするとともに一方を削除する。ステップＳ６０８において、ＲＰ部２５Ｂは、は、ＲＰヘッダ（Ａ）をコピーするとともに一方を削除する。
【０１６０】
ステップＳ６０９において、ＩＲＴＰ部２２Ｂは、第１通信モジュール２０Ａによって転送された上りパケットであることを示す上り転送情報（ＩＲＴＰヘッダ（Ｂ））を挿入する。
【０１６１】
ステップＳ６１０において、ＰＣＰ／ＭＡＣ／ＰＨＹ部２６Ｂは、上りパケットを第２無線基地局１Ｂに送信する。
【０１６２】
（４．４．２）上り方向通信における第２無線基地局の動作
図１４は、上り方向通信における第２無線基地局１Ｂの動作を示すフローチャートである。
【０１６３】
ステップＳ７０１において、第２無線基地局１ＢのＰＣＰ／ＭＡＣ／ＰＨＹ部１６Ｂは、上りパケットを受信する。
【０１６４】
ステップＳ７０２において、ＩＲＴＰ部１２Ｂは、ステップＳ７０１で受信した上りパケットに上り転送情報（ＩＲＴＰヘッダ（Ｂ））が挿入されているか否かを判定する。上り転送情報（ＩＲＴＰヘッダ（Ｂ））が挿入されていない場合には、ＲＬＰ部１３Ｂ、ＳＰ部１４Ｂ及びＲＰ部１５Ｂにより通常のプロトコル処理が実行される（ステップＳ７１０）。上り転送情報（ＩＲＴＰヘッダ（Ｂ））が挿入されている場合には、ＩＲＴＰ部１２Ｂは、上り転送情報（ＩＲＴＰヘッダ（Ｂ））を取り外し、上りパケットをＲＰ部１５Ｂに渡す（ステップＳ７０３）。
【０１６５】
ステップＳ７０４において、ＲＰ部１５Ｂは、ＲＰヘッダ（Ａ）を取り外す。また、ＲＰ部１５Ｂは、上りパケットが通信モジュール間で転送されてきたものであることから、第１無線基地局１ＡのＲＰ部１５Ａと連携をとり、必要な処理を実施する。
【０１６６】
ステップＳ７０５において、ＳＰ部１４Ｂは、ＳＰヘッダ（Ａ）を取り外す。ステップＳ７０６〜Ｓ７０８において、ＲＬＰ部１３Ｂは、ＲＬＰ部１３Ａに成り代わって再送制御（再送要求）を行う。このとき、再送制御に必要なＲＬＰ情報（第２上り再送制御情報）は、ハンドオーバ発生時に、ＲＬＰ部１３Ａから通知されているものとする。
【０１６７】
ステップＳ７０６において、ＲＬＰ部１３Ｂは、再送要求が必要であるか否かを判定する。再送要求が必要である場合には、ＲＬＰ部１３Ｂは、無線端末２に下りパケットの再送を要求する（ステップＳ７０８）。
【０１６８】
ステップＳ７０７において、下りパケットは第１無線基地局１Ａに転送されるが、既にＲＰ／ＳＰ／ＲＬＰでの必要な処理は行われているので、そのままＡＰＰ部１１Ａに伝達させる。
【０１６９】
（４．５）再送動作
図１５は、ＲＬＰ部１３Ａ、ＲＬＰ部１３Ｂ、ＲＬＰ部２３Ａ及びＲＬＰ部２３Ｂによって実行されるパケット再送動作を示すフローチャートである。
【０１７０】
（４．５．１）受信側再送動作
図１５（ａ）は、パケット受信時におけるＲＬＰ部（ＲＬＰ部１３Ａ、ＲＬＰ部１３Ｂ、ＲＬＰ部２３Ａ又はＲＬＰ部２３Ｂ）の再送動作（再送要求）を示すフローチャートである。
【０１７１】
ステップＳ２０１において、ＲＬＰ部は、ＲＬＰパケットを受信する。
【０１７２】
ステップＳ２０２において、ＲＬＰ部は、受信したＲＬＰパケットのシーケンス番号が、次に受信すると期待されているシーケンス番号であるＶ（Ｒ）よりも大きいか否かを判定する。
【０１７３】
受信したＲＬＰパケットのシーケンス番号がＶ（Ｒ）よりも大きい場合、ＲＬＰ部は、パケット送信元に対して再送要求メッセージ（ＮＡＫ）を送信する（ステップＳ２０３）。受信したＲＬＰパケットのシーケンス番号がＶ（Ｒ）以下である場合、ＲＬＰ部は、パケット送信元に対してＡＣＫを送信する（ステップＳ２０４）。
【０１７４】
（４．５．２）送信側再送動作
図１５（ｂ）は、パケット送信時におけるＲＬＰ部（ＲＬＰ部１３Ａ、ＲＬＰ部１３Ｂ、ＲＬＰ部２３Ａ又はＲＬＰ部２３Ｂ）の再送動作（再送処理）を示すフローチャートである。
【０１７５】
ステップＳ３０１において、ＲＬＰ部は、再送要求メッセージを受信する、又はパケット送信から一定時間に渡ってＡＣＫを受信できなかった（タイマタイムアウト）ことを検出する。
【０１７６】
ステップＳ３０２において、ＲＬＰ部は、送信バッファの中から再送すべきパケットを取得し、取得したパケットを再送する。
【０１７７】
（５）作用及び効果
以上説明したように、下り方向通信において、第２無線基地局１ＢのＲＬＰ部１３Ｂ、ＳＰ部１４Ｂ及びＲＰ部１５Ｂは、第１無線基地局１Ａによって転送されたパケットに対する第２下り制御データ（ＲＬＰヘッダ（Ｂ）、ＳＰヘッダ（Ｂ）及びＲＰヘッダ（Ｂ））の挿入を省略する。したがって、第２無線基地局１Ｂと無線端末２との間で送受信されるパケットのオーバヘッドを低減できる。
【０１７８】
本実施形態では、無線端末２の第２通信モジュール２０Ｂは、第２無線基地局１Ｂから受信したパケットに下り転送情報（ＩＲＴＰヘッダ（Ｂ））が挿入されている場合、第２無線基地局１Ｂから受信したパケットに挿入されている第１下り制御データ（ＲＬＰヘッダ（Ａ）、ＳＰヘッダ（Ａ）及びＲＰヘッダ（Ａ））に基づくパケット受信処理を実行する。そして、無線端末２の第１通信モジュール２０Ａは、第２通信モジュール２０Ｂが第１下り制御データ（ＲＬＰヘッダ（Ａ）、ＳＰヘッダ（Ａ）及びＲＰヘッダ（Ａ））に基づくパケット受信処理を実行する場合、第１下り制御データ（ＲＬＰヘッダ（Ａ）、ＳＰヘッダ（Ａ）及びＲＰヘッダ（Ａ））に基づくパケット受信処理を省略する。このため、無線端末２の処理負荷を低減することができる。
【０１７９】
下り方向通信において、第２無線基地局１ＢのＲＬＰ部１３Ｂは、無線端末２のハンドオーバ時に、第１下り再送制御情報（ＲＬＰ情報）をＲＬＰ部１３Ａから取得し、取得した第１下り再送制御情報を用いて第２下り再送処理を実行する。第１無線基地局１ＡのＲＬＰ部１３Ａは、ＲＬＰ部１３Ｂが第１下り再送制御情報を用いて第２下り再送処理を実行する場合、第１下り再送処理を省略する。
【０１８０】
また、第２通信モジュール２０ＢのＲＬＰ部２３Ｂは、ハンドオーバ時において、第２下り再送制御情報（ＲＬＰ情報）をＲＬＰ部２３Ａから取得し、取得した第２下り再送制御情報を用いて第２下り再送要求を実行する。そして、第１通信モジュール２０ＡのＲＬＰ部２３Ａは、ＲＬＰ部２３Ｂが第２下り再送制御情報を用いて第２下り再送要求を実行する場合、第１下り再送要求を省略する。
【０１８１】
このように、下り方向通信におけるＲＬＰレベルでの再送制御が、第１無線基地局１Ａと第１通信モジュール２０Ａとによって実施されるのではなく、第２無線基地局１Ｂと第２通信モジュール２０Ｂとによって実施される。したがって、再送動作時において第１無線基地局１Ａ及び第２無線基地局１Ｂ間でパケットを再度転送する処理が不要となり、高速な再送が可能になる。さらに、再送に伴う基地局間転送のリソース（例えばＩＰデータなど）を削減できる。また、再送動作時において、第１通信モジュール２０Ａ及び第２通信モジュール２０Ｂ間のパケット転送が高速になるとともに、無駄なパケット転送が不要となる。
【０１８２】
本実施形態では、第２無線基地局１ＢのＲＬＰ部１３Ｂは、無線端末２のハンドオーバ時において、第２下りフラグメント処理を省略する。これにより、第２無線基地局１Ｂは、第１無線基地局１Ａから受信したパケットを高速に無線端末２に中継可能となる。
【０１８３】
本実施形態では、上り方向通信において、第２通信モジュール２０Ｂは、第１通信モジュール２０Ａによって転送されたパケットを第２無線基地局１Ｂに送信するとともに、第１通信モジュール２０Ａによって転送されたパケットに対する第２上り制御データ（ＲＬＰヘッダ（Ｂ）、ＳＰヘッダ（Ｂ）及びＲＰヘッダ（Ｂ））の挿入を省略する。したがって、第２無線基地局１Ｂと無線端末２との間で送受信されるパケットのオーバヘッドを低減できる。
【０１８４】
本実施形態では、上り方向通信において、第１無線基地局１ＡのＲＬＰ部１３Ａ、ＳＰ部１４Ａ及びＲＰ部１５Ａは、第２無線基地局１ＢのＲＬＰ部１３Ｂ、ＳＰ部１４Ｂ及びＲＰ部１５Ｂが第１上り制御データ（ＲＬＰヘッダ（Ａ）、ＳＰヘッダ（Ａ）及びＲＰヘッダ（Ａ））に基づくパケット受信処理を実行する場合、第１上り制御データ（ＲＬＰヘッダ（Ａ）、ＳＰヘッダ（Ａ）及びＲＰヘッダ（Ａ））に基づくパケット受信処理を省略する。このため、第１無線基地局１Ａの処理負荷を低減することができる。
【０１８５】
本実施形態では、上り方向通信において、第２通信モジュール２０ＢのＲＬＰ部２３Ｂは、第１上り再送制御情報（ＲＬＰ情報）を第１通信モジュール２０ＡのＲＬＰ部２３Ａから取得し、取得した第１上り再送制御情報を用いて第２上り再送処理を実行する。ＲＬＰ部２３Ａは、ＲＬＰ部２３Ｂが第１上り再送制御情報を用いて第２上り再送処理を実行する場合、第１上り再送処理を省略する。
【０１８６】
また、第２無線基地局１ＢのＲＬＰ部１３Ｂは、第２上り再送制御情報（ＲＬＰ情報）をＲＬＰ部１３Ａから取得し、第２上り再送制御情報を用いて第２上り再送要求を実行する。第１無線基地局１ＡのＲＬＰ部１３Ａは、ＲＬＰ部１３Ｂが第２上り再送制御情報を用いて第２上り再送要求を実行する場合、第１上り再送要求を省略する。
【０１８７】
このように、上り方向通信におけるＲＬＰレベルでの再送制御が、第１無線基地局１Ａと第１通信モジュール２０Ａとによって実施されるのではなく、第２無線基地局１Ｂと第２通信モジュール２０Ｂとによって実施される。したがって、再送動作時において第１無線基地局１Ａ及び第２無線基地局１Ｂ間でパケットを再度転送する処理が不要となり、高速な再送が可能になる。さらに、再送に伴う基地局間転送のリソース（例えばＩＰデータなど）を削減できる。また、再送動作時において、第１通信モジュール２０Ａ及び第２通信モジュール２０Ｂ間のパケット転送が高速になるとともに、無駄なパケット転送が不要となる。
【０１８８】
さらに、上り方向通信において、第２通信モジュール２０ＢのＲＬＰ部２３Ｂは、第２上りフラグメント処理を省略する。このため、第２通信モジュール２０Ｂは、第１通信モジュール２０Ａから受信したパケットを高速に第２無線基地局１Ｂに中継可能となる。
【０１８９】
以上説明したように、本実施形態によれば、ＵＭＢシステムのハンドオーバにおいて、冗長なヘッダ（制御データ）を低減することができる。ＶｏＩＰなどのリアルタイム通信に用いられるパケットは、他の種別のパケットと比較してパケットサイズが小さいため、ヘッダ（制御データ）の低減が特に有効である。
【０１９０】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１９１】
上述した実施形態では、第２無線基地局１Ｂは、下り方向通信において、ＲＬＰヘッダ（Ａ）、ＳＰヘッダ（Ａ）及びＲＰヘッダ（Ａ）をコピーして二組のＲＬＰヘッダ（Ａ）、ＳＰヘッダ（Ａ）及びＲＰヘッダ（Ａ）を生成し、一方のＲＬＰヘッダ（Ａ）、ＳＰヘッダ（Ａ）及びＲＰヘッダ（Ａ）を削除していたが、ＲＬＰヘッダ（Ａ）、ＳＰヘッダ（Ａ）及びＲＰヘッダ（Ａ）をコピー及び削除しなくてもよい。
【０１９２】
同様に、第２通信モジュール２０Ｂは、上り方向通信において、ＲＬＰヘッダ（Ａ）、ＳＰヘッダ（Ａ）及びＲＰヘッダ（Ａ）をコピーして二組のＲＬＰヘッダ（Ａ）、ＳＰヘッダ（Ａ）及びＲＰヘッダ（Ａ）を生成し、一方のＲＬＰヘッダ（Ａ）、ＳＰヘッダ（Ａ）及びＲＰヘッダ（Ａ）を削除していたが、ＲＬＰヘッダ（Ａ）、ＳＰヘッダ（Ａ）及びＲＰヘッダ（Ａ）をコピー及び削除しなくてもよい。
【０１９３】
上述した実施形態では、ＵＭＢシステムに基づく構成について説明したが、ＵＭＢシステムに限らず、ハンドオーバ時に無線基地局間でパケットを転送するシステムであれば本発明を適用可能である。
【０１９４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１９５】
１Ａ…第１無線基地局、１Ｂ…第２無線基地局、２…無線端末、３…アクセスゲートウェイ、４…ネットワーク、１０…無線通信システム、１１Ａ，１１Ｂ，２１Ａ，２１Ｂ…ＡＰＰ部、１２Ａ，１２Ｂ，２２Ａ，２２Ｂ…ＩＲＴＰ部、１３Ａ，１３Ｂ，２３Ａ，２３Ｂ…ＲＬＰ部、１４Ａ，１４Ｂ，２４Ａ，２４Ｂ…ＳＰ部、１５Ａ，１５Ｂ，２５Ａ，２５Ｂ…ＲＰ部、１６Ａ，１６Ｂ，２６Ａ，２６Ｂ…ＰＣＰ／ＭＡＣ／ＰＨＹ部、２０Ａ…第１通信モジュール、２０Ｂ…第２通信モジュール、１０１…ＲＦ部、１０２…制御部、１０３…Ｉ／Ｆ部、１０４…記憶部、１０４ａ…バッファ部、２０１…ＲＦ部、２０２…操作部、２０３…制御部、２０４…音声コーデック部、２０５…マイク、２０６…スピーカ、２０７…表示部、２０８…記憶部、２０８ａ…バッファ部
【図１】
2012151878.tif 000003
【図２】
2012151878.tif 000004
【図３】
2012151878.tif 000005
【図４】
2012151878.tif 000006
【図５】
2012151878.tif 000007
【図６】
2012151878.tif 000008
【図７】
2012151878.tif 000009
【図８】
2012151878.tif 000010
【図９】
2012151878.tif 000011
【図１０】
2012151878.tif 000012
【図１１】
2012151878.tif 000013
【図１２】
2012151878.tif 000014
【図１３】
2012151878.tif 000015
【図１４】
2012151878.tif 000016
【図１５】
2012151878.tif 000017